(57)【要約】【課題】  少ない部品点数で構成され、且つ取り扱いを極めて容易に出来るようにしたゴミ容器を提供する。【解決手段】  上方が方形状に開口された有低の直方体の外箱１と、上記外箱の開口縁１Ａに上方から挿入されて開口掛部３Ａを係合する有低の直方体の内箱３とからなり、上記内箱は少なくともその対向二辺３Ｃ，３Ｄが上記外箱１の対向二辺１Ｃ，１Ｄに掛け止めされる掛縁３Ｂの寸法関係としたゴミ容器１００である。【選択図】図１
0003131154.tif 000002
【実用新案登録請求の範囲】
【請求項１】
上方が方形状に開口された有低の直方体の外箱と、上記外箱の開口縁に上方から挿入されて開口掛部を係合する有低の直方体の内箱とからなり、上記内箱は少なくともその対向二辺が上記外箱の対向二辺に掛け止めされる掛縁の寸法関係としたことを特徴とするゴミ容器。
【請求項２】
上記内箱を外箱の片側に突き当て時は、内箱はその対向二辺と他の対向二辺の片側辺が上記外箱の対向二辺と他の対向二辺の片側辺に掛け止めされる掛縁の寸法関係としたことを特徴とする請求項１記載のゴミ容器。
【請求項３】
上記内箱の開口に把手を設け外箱の外側に突出させた関係としたことを特徴とする請求項１記載のゴミ容器。
【考案の詳細な説明】
【技術分野】
【０００１】  本考案は、例えば、家庭や事務所内で使用されるゴミ容器に関し、特に、主体となる外容器とこの容器内に小容量の中容器とを備えてゴミの分別が出来るようにしたゴミ容器を更に改良したものに関するものである。
【背景技術】
【０００２】  近年、ゴミの分別収集が義務化され・分別してゴミ集荷場に捨てなければならない。そんな中で、家庭内において、一つのゴミ箱に色々なゴミを捨てると、あらためてゴミ収集日に別の袋に分別作業をしなければならない煩わしさが発生している。そこで、家庭でも増えるプラスチックゴミに対応して各部屋に複数のゴミ容器を並べて備え、それに紙類の燃えるゴミと、ビニルやプラスチック製品等とを分別して集める方法が採られていることが多く見かけられる。このように、分別収集する種類に対応してゴミ箱を家庭内に設置することは、部屋の有効空間を狭めることから歓迎すべき手段ではない。【０００３】  それならば、最近、上記ゴミの分別収集を容易にすべく、主体となる外容器とこの容器内に小容量の中容器とを備えてゴミの分別が出来るようにしたゴミ箱が提供されている。具体的には、上方開口された有低の直方体からなるゴミ箱に、これにより略半分の容器を占める、上方開口された有低の直方体からなる中容器を収納する。このゴミ箱の開口部に、めがね状になった蓋用フレームを嵌合して取付ける。この蓋用フレームには、中容器に対する小蓋と、中容器を収納した後の残部の開口部に対する中蓋とをそれぞれ嵌合する。また、この蓋用フレームに代えて、ゴミ箱全体をカバーする大蓋を用意して取り付ける。従って、このプラスチック製ゴミ箱は、大蓋付のゴミ箱単体と、小蓋および中蓋付の、中容器単体と、に分けて使用できるので、汎用性ができ、量産メリットを図ることができるものである（例えば、特許文献１参照。）。【０００４】
【特許文献１】  実開平６−３９０４号
【考案の開示】
【考案が解決しようとする課題】
【０００５】  上記従来の中容器をもつプラスチック製ゴミ箱によると、大蓋付のゴミ箱単体と、小蓋および中蓋付の中容器単体と、に分けて使用できるので、汎用性ができ、量産メリットを図ることができるというメリットが得られる。【０００６】  しかし、上記中容器をもつプラスチック製ゴミ箱は、先ず、中容器単体をゴミ箱単体からの取り出しや収納セットがめがね状になった蓋用フレームのために容易にできないし、片手操作も出来ない。また、中容器単体をゴミ箱単体内に納める位置が限定されるため、中容器単体をゴミ箱単体からの取り出しや収納セットにおいて、着脱の操作性が悪い。更に、中容器単体には、把手がないために中容器単体をゴミ箱単体からの取り出しや収納セットにおいて、ゴミ箱単体内に落下させるという問題がある。そして、中容器をもつプラスチック製ゴミ箱は、ゴミ箱単体と中容器と蓋用フレームと小蓋および中蓋と、からなるため、構成が複雑であるばかりか、製造コストおも高くしているという問題がある。【０００７】  本考案は、上記中容器をもつプラスチック製ゴミ箱における問題点に鑑みてなされたもので、その目的は、少ない部品点数で構成され、且つ取り扱いを極めて容易に出来るようにしたゴミ容器を提供することにある。
【課題を解決するための手段】
【０００８】  上記目的を達成するべく本考案の請求項１によるゴミ容器は、上方が方形状に開口された有低の直方体の外箱と、上記外箱の開口縁に上方から挿入されて開口掛部を係合する有低の直方体の内箱とからなり、上記内箱は少なくともその対向二辺が上記外箱の対向二辺に掛け止めされる掛縁の寸法関係としたことを特徴とするものである。【０００９】  また、本考案の請求項２によるゴミ容器は、請求項１のゴミ容器おいて、上記内箱を外箱の片側に突き当て時は、内箱はその対向二辺と他の対向二辺の片側辺が上記外箱の対向二辺と他の対向二辺の片側辺に掛け止めされる掛縁の寸法関係としたことを特徴とするものである。【００１０】  また、本考案の請求項３によるゴミ容器は、請求項１のゴミ容器おいて、上記内箱の開口に把手を設け外箱の外側に突出させた関係としたことを特徴とするものである。【００１１】  すなわち、本考案のゴミ容器によると、まず、上方が方形状に開口された有低の直方体の外箱の開口縁に、有低の直方体の内箱を上方から挿入して開口掛部を係合することで、内箱を外箱の開口縁にセットされる。このとき、上記内箱は少なくともその対向二辺が上記外箱の対向二辺に掛け止めされる掛縁の寸法関係となっているから、極めて容易に内箱を外箱の開口縁にセットすることができる。また、上記内箱を外箱の片側に突き当てると、内箱はその対向二辺の他に他の対向二辺の片側辺が外箱の片側辺に掛け止めされる。【００１２】  しかして、有低の直方体の外箱の開口縁に、有低の直方体の内箱を上方から挿入して開口掛部を係合すれば、外箱内に内箱が素早く装着されるとともに、ゴミ容器の設置スペースも外箱の体積で良い。また、実際の使用は、外箱内には、必要に応じてビニル袋を入れ、これに紙類の嵩張るゴミや各種細かなゴミを投入して集められる。他方の内箱には、プラスチック製品のゴミ、例えば、キャンデーや各種菓子類を包装したプラスチック系の包み片を投入して集められる。上記内箱が満杯になった時は、内箱を外箱から外して持ち上げ分離させる。この内箱内のプラスチック系のゴミを別に用意した、大きな分別袋に投棄する。【００１３】  上記内箱内のプラスチック系のゴミを別に用意した、大きな分別袋に投棄するに際して、内箱の開口に把手が設けられ外箱の外側に突出させた関係になっているから、その把手を片手に持って外箱との着脱が簡便・自由に行えるとともに、大きな分別袋への投棄作業も簡便に行われる。
【考案の効果】
【００１４】  本考案のゴミ容器によると、少ない部品点数で構成されているから、製造費のコストダウンが図れる。また、内箱を外箱内に納める位置が限定されず開口縁の自由な位置に置くことができる。そして、内箱が外箱内に不用意に落ちることもない。更に、把手を備えた内箱を外箱からの取り出しや収納セットの着脱操作性が極めてよい。
【考案を実施するための最良の形態】
【００１５】  以下、図１乃至図４を参照して本考案の第１の実施の形態を説明する。図１はゴミ容器の斜視図、図２は使用例を示す斜視図、図３は断面図、図４はゴミ捨ての作用図である。【００１６】  本考案のゴミ容器１００は、下記のように構成されている。まず、図１に示すように、上方が方形状に開口された有低の直方体の外箱１と、上記外箱１の開口縁１Ａに上方から挿入されて開口掛部３Ａを係合する有低の直方体の内箱３とからなる。上記ゴミ容器１００において、内箱３の外箱１に対する配置は、図１に示すように、上記内箱を外箱の片側に突き当て時は、図３に示すように、内箱はその開口掛部３Ａの掛縁３Ｂを対向二辺３Ｃ，３Ｄと他の対向二辺３Ｅ，３Ｆの片側辺３Ｅが上記外箱１の開口縁１Ａである対向二辺１Ｃ，１Ｄと他の対向二辺１Ｅ，１Ｆの片側辺１Ｅに掛け止めされる寸法関係になっている。そして、上記内箱３の開口掛部３Ａに把手５を設け外箱１の外側に突出させた関係としている。【００１７】  勿論、図２に示すように、上記内箱３は少なくともその対向二辺３Ｃ，３Ｄが上記外箱１の対向二辺１Ｃ，１Ｄに掛け止めされる掛縁３Ｂの寸法関係となしているから、内箱３は外箱１の開口内を自由に左右移動させられる。更に、上記内箱３の開口掛部３Ａに把手５を設け外箱１の手前外側に突出させた関係になっている。この様に、内箱３が移動される方向に対して、内箱３の手前側となる開口掛部３Ａに把手５を配置すれば、内箱を外箱に対して片手で把手を持って簡便な操作性が得られる構成となっている。勿論、図１において、把手５を二点鎖線で示すように、外箱１の長手方向の右端となる内箱３の開口掛部３Ａの右端側に設ければ、内箱３を外箱１の右端に配置でき、把手５が内箱の勝手な移動を拘束する。【００１８】  以下、上記ゴミ容器１００の使用法を説明する。まず、上方が方形状に開口された有低の直方体の外箱１の開口縁１Ａに、例えばビニル袋Ｂを被せる。勿論、被せなくても良い。上記外箱１の開口縁１Ａに、有低の直方体の内箱３を上方から挿入して開口掛部３Ａにセットされる。更に、詳細には、外箱１の開口縁１Ａに、有低の直方体の内箱３を上方から挿入して開口掛部３Ａの掛縁３Ｂを対向二辺３Ｃ，３Ｄと他の対向二辺３Ｅ，３Ｆの片側辺３Ｅが上記外箱１の開口縁１Ａである対向二辺１Ｃ，１Ｄと他の対向二辺１Ｅ，１Ｆの片側辺１Ｅに掛け止めされる開口掛縁を係合することで、内箱を外箱の開口縁にセットされる。このとき、上記内箱３は少なくともその対向二辺３Ｃ，３Ｄが上記外箱の対向二辺１Ｃ，１Ｄに掛け止めされ、極めて容易に内箱を外箱の開口縁１Ａにセットされる。また、上記内箱を外箱の片側に突き当てると、内箱はその対向二辺３Ｃ，３Ｄの他に他の対向二辺３Ｅ，３Ｆの片側辺３Ｅが外箱１の片側辺１Ｅに掛け止めされる。【００１９】  かくして、有低の直方体の外箱の開口縁に、有低の直方体の内箱を上方から挿入して開口掛部を係合すれば、外箱内に内箱が素早く装着されるとともに、ゴミ容器の設置スペースも外箱の体積で良い。また、実際の使用は、外箱内のビニル袋内に紙類の嵩張るゴミや各種細かなゴミを投入して集められる。他方の内箱には、プラスチック製品のゴミ、例えば、キャンデーや各種菓子��を包装したプラスチック系の包み片を投入して集められる。上記内箱が満杯になった時は、図４に示すように、内箱を外箱から外して持ち上げ分離させる。この内箱内のプラスチック系のゴミを別に用意した、大きな分別袋に投棄する。【００２０】  更に、図１と図４に示すように、上記内箱内のプラスチック系のゴミを別に用意した、大きな分別袋に投棄するに際して、内箱の開口に把手が設けられ外箱の外側に突出させた関係になっているから、その把手を片手に持って外箱との着脱が簡便・自由に行えるとともに、大きな分別袋への投棄作業も簡便に行われる。そして、外箱内のビニル袋Ｂを取り出して別に用意した投棄場に運ばれる。【００２１】  本考案のゴミ容器１００における実施の形態によると、下記の効果が奏さられる。まず、少ない部品点数で構成でき、製造費のコストダウンが図れる。また、内箱を外箱内に納める位置が限定されず開口縁の自由な位置に置くことができる。更に、把手を備えた内箱を外箱との着脱操作性が極めて良く、誤って内箱を外箱内に落とすことが無い。【００２２】  尚、本考案のゴミ容器１００は、上記第１の実施の形態における構成に限定されず、その考案の要旨内での設計変更が自由にできる。例えば、外箱と箱は、その材質を木製でも樹脂製でも金属製でも製作できる。また、その形状も図示のような長方形体とするほか、正方形体としても良い。更に、各種の設計変更が可能である。
【産業上の利用可能性】
【００２３】  本考案は、その対象物をゴミ容器の実施例で説明したものであるが、様々な形式の容器への適用が可能である。例えば、ゴミに限定されず、各種小物入れボックスとしても適用できる。
【図面の簡単な説明】
【００２４】
【図１】  本考案の第１の実施の形態を示し、ゴミ容器の斜視図である。
【図２】  本考案の第１の実施の形態を示し、ゴミ容の使用例の斜視図である。
【図３】  本考案の第１の実施の形態を示し、ゴミ容器の断面図である。
【図４】  本考案の第１の実施の形態を示し、ゴミ捨て作用の斜視図である。
【符号の説明】
【００２５】    １            外箱
１Ａ          開口縁
１Ｃ，１Ｄ    対向二辺
１Ｅ，１Ｆ    対向二辺
３            内箱
３Ａ          開口掛部
３Ｂ          掛縁
３Ｃ，３Ｄ    対向二辺
３Ｅ，３Ｆ    対向二辺
１００        ゴミ容器
Ｂ            ビニル袋
【図１】
0003131154.tif 000003
【図２】
0003131154.tif 000004
【図３】
0003131154.tif 000005
【図４】
0003131154.tif 000006
【手続補正書】
【提出日】平成19年1月5日(2007.1.5)
【手続補正１】
【補正対象書類名】実用新案登録請求の範囲
【補正対象項目名】請求項１
【補正方法】変更
【補正の内容】
【請求項１】
上方が方形状に開口された有底の直方体の外箱と、上記外箱の開口縁に上方から挿入されて開口掛部を係合する有底の直方体の内箱とからなり、上記内箱は少なくともその対向二辺が上記外箱の対向二辺に掛け止めされる掛縁の寸法関係としたことを特徴とするゴミ容器。
【手続補正２】
【補正対象書類名】明細書
【補正対象項目名】０００３
【補正方法】変更
【補正の内容】
【０００３】  それならば、最近、上記ゴミの分別収集を容易にすべく、主体となる外容器とこの容器内に小容量の中容器とを備えてゴミの分別が出来るようにしたゴミ箱が提供されている。具体的には、上方開口された有底の直方体からなるゴミ箱に、これにより略半分の容器を占める、上方開口された有底の直方体からなる中容器を収納する。このゴミ箱の開口部に、めがね状になった蓋用フレームを嵌合して取付ける。この蓋用フレームには、中容器に対する小蓋と、中容器を収納した後の残部の開口部に対する中蓋とをそれぞれ嵌合する。また、この蓋用フレームに代えて、ゴミ箱全体をカバーする大蓋を用意して取り付ける。従って、このプラスチック製ゴミ箱は、大蓋付のゴミ箱単体と、小蓋および中蓋付の、中容器単体と、に分けて使用できるので、汎用性ができ、量産メリットを図ることができるものである（例えば、特許文献１参照。）。
【手続補正３】
【補正対象書類名】明細書
【補正対象項目名】０００８
【補正方法】変更
【補正の内容】
【０００８】  上記目的を達成するべく本考案の請求項１によるゴミ容器は、上方が方形状に開口された有底の直方体の外箱と、上記外箱の開口縁に上方から挿入されて開口掛部を係合する有底の直方体の内箱とからなり、上記内箱は少なくともその対向二辺が上記外箱の対向二辺に掛け止めされる掛縁の寸法関係としたことを特徴とするものである。
【手続補正４】
【補正対象書類名】明細書
【補正対象項目名】０００９
【補正方法】変更
【補正の内容】
【０００９】  また、本考案の請求項２によるゴミ容器は、請求項１のゴミ容器において、上記内箱を外箱の片側に突き当て時は、内箱はその対向二辺と他の対向二辺の片側辺が上記外箱の対向二辺と他の対向二辺の片側辺に掛け止めされる掛縁の寸法関係としたことを特徴とするものである。
【手続補正５】
【補正対象書類名】明細書
【補正対象項目名】００１０
【補正方法】変更
【補正の内容】
【００１０】  また、本考案の請求項３によるゴミ容器は、請求項１のゴミ容器において、上記内箱の開口に把手を設け外箱の外側に突出させた関係としたことを特徴とするものである。
【手続補正６】
【補正対象書類名】明細書
【補正対象項目名】００１１
【補正方法】変更
【補正の内容】
【００１１】  すなわち、本考案のゴミ容器によると、まず、上方が方形状に開口された有底の直方体の外箱の開口縁に、有底の直方体の内箱を上方から挿入して開口掛部を係合することで、内箱を外箱の開口縁にセットされる。このとき、上記内箱は少なくともその対向二辺が上記外箱の対向二辺に掛け止めされる掛縁の寸法関係となっているから、極めて容易に内箱を外箱の開口縁にセットすることができる。また、上記内箱を外箱の片側に突き当てると、内箱はその対向二辺の他に他の対向二辺の片側辺が外箱の片側辺に掛け止めされる。
【手続補正７】
【補正対象書類名】明細書
【補正対象項目名】００１２
【補正方法】変更
【補正の内容】
【００１２】  しかして、有底の直方体の外箱の開口縁に、有底の直方体の内箱を上方から挿入して開口掛部を係合すれば、外箱内に内箱が素早く装着されるとともに、ゴミ容器の設置スペースも外箱の体積で良い。また、実際の使用は、外箱内には、必要に応じてビニル袋を入れ、これに紙類の嵩張るゴミや各種細かなゴミを投入して集められる。他方の内箱には、プラスチック製品のゴミ、例えば、キャンデーや各種菓子類を包装したプラスチック系の包み片を投入して集められる。上記内箱が満杯になった時は、内箱を外箱から外して持ち上げ分離させる。この内箱内のプラスチック系のゴミを別に用意した、大きな分別袋に投棄する。
【手続補正８】
【補正対象書類名】明細書
【補正対象項目名】００１６
【補正方法】変更
【補正の内容】
【００１６】  本考案のゴミ容器１００は、下記のように構成されている。まず、図１に示すように、上方が方形状に開口された有底の直方体の外箱１と、上記外箱１の開口縁１Ａに上方から挿入されて開口掛部３Ａを係合する有底の直方体の内箱３とからなる。上記ゴミ容器１００において、内箱３の外箱１に対する配置は、図１に示すように、上記内箱を外箱の片側に突き当て時は、図３に示すように、内箱はその開口掛部３Ａの掛縁３Ｂを対向二辺３Ｃ，３Ｄと他の対向二辺３Ｅ，３Ｆの片側辺３Ｅが上記外箱１の開口縁１Ａである対向二辺１Ｃ，１Ｄと他の対向二辺１Ｅ，１Ｆの片側辺１Ｅに掛け止めされる寸法関係になっている。そして、上記内箱３の開口掛部３Ａに把手５を設け外箱１の外側に突出させた関係としている。
【手続補正９】
【補正対象書類名】明細書
【補正対象項目名】００１７
【補正方法】変更
【補正の内容】
【００１７】  勿論、図２に示すように、上記内箱３は少なくともその対向二辺３Ｃ，３Ｄが上記外箱１の対向二辺１Ｃ，１Ｄに掛け止めされる掛縁３Ｂの寸法関係となしているから、内箱３は外箱１の開口内を自由に左右移動させられる。更に、上記内箱３の開口掛部３Ａに把手５を設け外箱１の手前外側に突出させた関係になっている。この様に、内箱３が移動される方向に対して、内箱３の手前側となる開口掛部３Ａに把手５を配置すれば、内箱を外箱に対して片手で把手を持って簡便な操作性が得られる構成となっている。勿論、図１において、把手５を二点鎖線で示すように、外箱１の長手方向の右端となる内箱３の開口掛部３Ａの右端側に設ければ、内箱３を外箱１の右端に配置でき、把手５が内箱の勝手な移動を拘束する。
【手続補正１０】
【補正対象書類名】明細書
【補正対象項目名】００１８
【補正方法】変更
【補正の内容】
【００１８】  以下、上記ゴミ容器１００の使用法を説明する。まず、上方が方形状に開口された有底の直方体の外箱１の開口縁１Ａに、例えばビニル袋Ｂを被せる。勿論、被せなくても良い。上記外箱１の開口縁１Ａに、有底の直方体の内箱３を上方から挿入して開口掛部３Ａにセットされる。更に、詳細には、外箱１の開口縁１Ａに、有底の直方体の内箱３を上方から挿入して開口掛部３Ａの掛縁３Ｂを対向二辺３Ｃ，３Ｄと他の対向二辺３Ｅ，３Ｆの片側辺３Ｅが上記外箱１の開口縁１Ａである対向二辺１Ｃ，１Ｄと他の対向二辺１Ｅ，１Ｆの片側辺１Ｅに掛け止めされる開口掛部を係合することで、内箱を外箱の開口縁にセットされる。このとき、上記内箱３は少なくともその対向二辺３Ｃ，３Ｄが上記外箱の対向二辺１Ｃ，１Ｄに掛け止めされ、極めて容易に内箱を外箱の開口縁１Ａにセットされる。また、上記内箱を外箱の片側に突き当てると、内箱はその対向二辺３Ｃ，３Ｄの他に他の対向二辺３Ｅ，３Ｆの片側辺３Ｅが外箱１の片側辺１Ｅに掛け止めされる。
【手続補正１１】
【補正対象書類名】明細書
【補正対象項目名】００１９
【補正方法】変更
【補正の内容】
【００１９】  かくして、有底の直方体の外箱の開口縁に、有底の直方体の内箱を上方から挿入して開口掛部を係合すれば、外箱内に内箱が素早く装着されるとともに、ゴミ容器の設置スペースも外箱の体積で良い。また、実際の使用は、外箱内のビニル袋内に紙類の嵩張るゴミや各種細かなゴミを投入して集められる。他方の内箱には、プラスチック製品のゴミ、例えば、キャンデーや各種菓子類を包装したプラスチック系の包み片を投入して集められる。上記内箱が満杯になった時は、図４に示すように、内箱を外箱から外して持ち上げ分離させる。この内箱内のプラスチック系のゴミを別に用意した、大きな分別袋に投棄する。
【手続補正１２】
【補正対象書類名】明細書
【補正対象項目名】００２４
【補正方法】変更
【補正の内容】
【００２４】
【図１】  本考案の第１の実施の形態を示し、ゴミ容器の斜視図である。
【図２】  本考案の第１の実施の形態を示し、ゴミ容器の使用例の斜視図である。
【図３】  本考案の第１の実施の形態を示し、ゴミ容器の断面図である。
【図４】  本考案の第１の実施の形態を示し、ゴミ捨て作用の斜視図である。